(57)【要約】      （修正有）【課題】拡張アップリンク（ＥＵ）送信のハンドオーバ中にノードＢを調整するためのワイヤレス通信方法および装置。【解決手段】無線ネットワークコントローラ（ＲＮＣ）はノードＢ間ソフトハンドオーバを始動する。ワイヤレス送受信ユニット（ＷＴＲＵ）は複数のノードＢとの通信接続を確立する。ノードＢのうちの特定の１つは主ノードＢと指定され、ＲＮＣは全てのノードＢに、特定のノードＢが主ノードＢであることを知らせる。主ノードＢはソフトハンドオーバ中にＥＵ送信をスケジューリングし、ＡＣＫ／ＮＡＣＫを実行する。ＲＮＣはソースノードＢに接続されたＷＴＲＵのハードハンドオーバを始動する。ＲＮＣは、ハンドオーバの時間を設定するためにソースノードＢに起動タイマを送信する。できるだけ多数の以前に否定応答された（ＮＡＣＫされた）データパケットが、起動タイマのタイムアウト前にソースノードＢで再送の優先順位を決定される。【選択図】図３
2014212539.tif 000002
【特許請求の範囲】
【請求項１】
主ノードＢとして動作するノードＢに実装される、ソフトハンドオーバ中の拡張アップリンク通信方法であって、
無線ネットワークコントローラ（ＲＮＣ）から品質情報を受信するステップと、
前記品質情報を使用して、ワイヤレス送受信ユニット（ＷＴＲＵ）の最大送信電力を含む指定されたスケジューリング情報を判定するステップと、
いずれの非主ノードＢによっても前記ＷＴＲＵに送信されていない、前記指定されたスケジューリング情報を前記ＷＴＲＵに送信するステップと、
前記指定されたスケジューリング情報の送信に応答して、前記ＷＴＲＵから拡張アップリンクデータパケットを受信するステップと、
前記拡張アップリンクデータパケットについて、巡回冗長検査（ＣＲＣ）を実行するステップと、
前記受信された拡張アップリンクデータパケットに応答して、前記ＣＲＣの結果に基づき、肯定応答（ＡＣＫ）または否定応答（ＮＡＣＫ）を前記ＷＴＲＵに送信するステップと、
正常に受信された拡張アップリンクデータパケットを前記ＲＮＣにさらに送信するステップと
を備えたことを特徴とする方法。
【請求項２】
正常に受信されなかった拡張アップリンクデータパケットをバッファに格納するステップをさらに備えたことを特徴とする請求項１に記載の方法。
【請求項３】
前記ＲＮＣに送信するため、前記バッファに格納された正常に受信されなかった拡張アップリンクデータパケットを前記拡張アップリンクデータパケットの再送にソフト結合ステップをさらに備えたことを特徴とする請求項２に記載の方法。
【発明の詳細な説明】
【技術分野】
【０００１】
本発明は、ワイヤレス通信システムに関する。さらに詳しくは、本発明は、ハンドオーバ中にノードＢを調整しかつ拡張アップリンク（ＥＵ）送信をサポートするための方法および装置に関する。
【背景技術】
【０００２】
第三世代パートナーシッププロジェクト（３ＧＰＰ）において、ＥＵ送信のカバレージ、スループット、および送信待ち時間（ｔｒａｎｓｍｉｓｓｉｏｎ  ｌａｔｅｎｃｙ）を改善するために、多くのスキームが提案されてきた。発展形態の１つは、アップリンク（ＵＬ）物理チャネル資源のスケジューリングおよび割当ての機能を、無線ネットワークコントローラ（ＲＮＣ）からノードＢへ移すというものである。ノードＢはより効率的な決定を行い、たとえＲＮＣがノードＢに対する全体的な制御を保持していても、ＲＮＣよりよくＵＬ無線資源を短期的に管理することができる。同様の手法はすでに、ユニバーサル移動体通信システム（ＵＭＴＳ）の周波数分割二重（ＦＤＤ）および時分割二重（ＴＤＤ）モードの両方で、高速データパケットアクセス（ＨＳＤＰＡ）のためにダウンリンクで採用されている。
【０００３】
媒体アクセス制御（ＭＡＣ）レベルの自動再送要求（ＡＲＱ）およびハイブリッドＡＲＱ（Ｈ−ＡＲＱ）の使用により、性能が大幅に向上することも認識されている。ソフトハンドオーバ中のこれらの技法の適用は、追加の著しい利点を提供する。
【０００４】
図１は、ワイヤレス送受信ユニット（ＷＴＲＵ）１０５、ノードＢ１１０、ＲＮＣ１１５、および少なくとも２つのセル１２０Ａ、１２０Ｂを含む、従来のワイヤレスマルチセル通信システム１００を示す。セル１２０Ａ、１２０Ｂの各々は、ノードＢ１１０によってサービスを提供される。ノードＢ１１０はＲＮＣ１１５によって制御される。最良の無線状態を提供するセルの切替えがセル１２０Ａと１２０Ｂとの間で決定されると、ハンドオーバプロセスが始動される。
【０００５】
「ノードＢ内ハンドオーバ」は、図１に示すように、ＷＴＲＵが同一ノードＢによって制御される１つのセルから別のセルに切り替わるときに、発生する。「ノードＢ間ハンドオーバ」は、ＷＴＲＵが異なるノードＢによって制御される１つのセルから別のセルに切り替わるときに、発生する。後者の場合、ハンドオーバ前にセルを制御するノードＢはソースノードＢと呼ばれ、ハンドオーバ後にセルを制御するノードＢはターゲットノードＢと呼ばれる。
【０００６】
ソフトハンドオーバ中に、ＷＴＲＵは、アクティブセット内の複数のノードＢとの複数の接続を確立する。この状況で、スケジューリングおよびＨ−ＡＲＱ動作に問題が発生することがある。ＷＴＲＵは、２つ以上のノードＢから競合するＥＵ送信スケジューリングを受け取ることがある。また、ＷＴＲＵが複数のノードＢによって生成されるＨ−ＡＲＱ肯定および否定応答（ＡＣＫ／ＮＡＣＫ）を受け取り、復号し、かつ処理することも困難である。ノードＢにおけるＨ−ＡＲＱプロセスのソフトバッファは、ソフトハンドオーバ中に破壊することがある。
【０００７】
ＷＴＲＵがソフトハンドオーバ中であるときに、多数のノードＢの間のＨ−ＡＲＱをサポートする１つの方法は、ＡＣＫ／ＮＡＣＫ生成機能をＲＮＣに配置し、ＲＮＣが多数のノードＢからの結果に基づいて単一のＡＣＫ／ＮＡＣＫを導出するというものである。しかし、この手法はＡＣＫ／ＮＡＣＫプロセスにかなりの遅延をもたらし、それは性能上の理由から非常に望ましくない。
【０００８】
ＷＴＲＵがノードＢ間ハードハンドオーバを受けるときに、ハードハンドオーバが終了する前のノードＢであるソースノードＢは、ハードハンドオーバ起動時間の前にＮＡＣＫされた（ＮＡＣＫｅｄ）データパケットのＥＵ送信を正常に受信することができない可能性がある。ＵＬ資源に対して競合する他のＷＴＲＵは、ソースセル内で充分な物理資源を提供されないことがある。ハンドオーバ前にＮＡＣＫされたデータブロックが、ハンドオーバ起動タイマがタイムアウトする前にソースノードＢに再送された場合、これらのデータブロックは、Ｈ−ＡＲＱ復号のために先行するデータブロックと結合することができる。この方法により、復号は、ソースセルにおけるこれらのデータブロックの、以前の失敗した送信を利用する。ハンドオーバ前にＮＡＣＫされたデータブロックが、ハンドオーバ起動タイマがタイムアウトする前にソースノードＢに再送されなかった場合、それらは新しいデータブロックとしてターゲットセルに再び送信しなければならない。この場合、ソースセルにおけるこれらのデータブロックの以前の送信は利用されない。
【発明の概要】
【発明が解決しようとする課題】
【０００９】
本発明は、拡張アップリンク送信のハンドオーバ中にノードＢを調整するためのワイヤレス通信方法および装置に関する。該装置は、ワイヤレス通信システム、ＲＮＣ、ノードＢ、および／または集積回路（ＩＣ）とすることができる。
【課題を解決するための手段】
【００１０】
一実施形態では、ワイヤレスマルチセル通信システムは、ＲＮＣ、複数のノードＢ、および複数のＷＴＲＵを含む。各ノードＢは少なくとも１つのセルにサービスを提供し、ＷＴＲＵからのＥＵ送信をスケジューリングする。ひとたびＲＮＣがソフトハンドオーバの必要性を認識すると、ＷＴＲＵはアクティブセット内のノードＢへの接続を確立する。アクティブセット内のノードＢの１つは主ノードＢと指定され、他の全てのノードＢは非主ノードＢと指定される。ＲＮＣまたはＷＴＲＵは、主ノードＢを選択し、主ノードＢについて他のノードＢに知らせる。ソフトハンドオーバ中に、主ノードＢはＥＵ送信をスケジューリングし、ＡＣＫ／ＮＡＣＫを実行する。
【００１１】
別の実施形態では、ＲＮＣは、ソースノードＢに接続されたＷＴＲＵのハードハンドオーバを始動する。ＲＮＣは、ＷＴＲＵがソースノードＢに接続されている間にいつ送受信を停止するかをソースノードＢに知らせる。ＲＮＣは、ハンドオーバの時間を設定するためにソースノードＢに起動タイマを送信する。ハンドオーバは起動タイマがタイムアウトしたときに終了する。
【００１２】
ソースノードＢは、以前に送信されてソースノードＢによって否定応答された（ＮＡＣＫされた）データパケットがあるかどうかを決定することができる。起動タイマがタイムアウトする前に、できるだけ多数の以前にＮＡＣＫされたデータパケットを受信するために、ソースノードＢは優先順位を調整し、かつ／またはＷＴＲＵによって送信されたデータパケット再送に使用される変調および符号化スキーム（ＭＣＳ）を調整することができる。
【００１３】
本発明のより詳細な理解は、例として提示し添付の図面に関連して理解される、以下の説明から得ることができる。
【図面の簡単な説明】
【００１４】
【図１】従来のワイヤレス通信システムを示す図である。
【図２】本発明に従ってＥＵのソフトハンドオーバ中に主ノードＢに配置されたＵＬスケジューラを使用するシステムを示す図である。
【図３】本発明に従ってＥＵのソフトハンドオーバ中に主ノードＢに配置されたＡＣＫ／ＮＡＣＫ生成機能を使用するシステムを示す図である。
【図４】本発明の一実施形態に従ってソフトハンドオーバ中にノードＢを調整するための方法のステップを含むプロセスのフローチャートである。
【図５】本発明の別の実施形態に従って、ハードハンドオーバが終了する前に、ソースノードＢでＮＡＣＫされたデータの送信の優先順位を決定するための方法ステップを含むプロセスのフローチャートである。
【発明を実施するための形態】
【００１５】
本発明を図面の図を参照しながら説明する。図中、同様の参照番号は全体を通して同様の要素を表わす。
【００１６】
以下で、用語「ＷＴＲＵ」は、ユーザ装置（ＵＥ）、移動局、固定もしくは移動加入者ユニット、ページャ、またはワイヤレス環境で動作することのできる任意の他の型の装置を含むが、それらに限らない。
【００１７】
以下で言及する場合、用語「ノードＢ」は、基地局、サイトコントローラ、アクセスポイント、またはワイヤレス環境における任意の他の型のインタフェース装置を含むが、それらに限らない。
【００１８】
本発明は、ＵＭＴＳ−ＦＤＤ、ＴＤＤ、時分割同期符号分割多元接続（ＴＤＳＣＤＭＡ）、符号分割多元接続２０００（ＣＤＭＡ２０００）（ＥＶ−ＤＯおよびＥＶ−ＤＶ）、または任意の他の型のワイヤレス通信システムのような、任意の型のワイヤレス通信システムで実施することができる。
【００１９】
本発明の特徴はＩＣ内に組み込むことができ、あるいは多数の相互接続コンポーネントを含む回路に構成することができる。
【００２０】
図２は、本発明に従って主ノードＢに配置されたＵＬスケジューラを使用するワイヤレスマルチセル通信システム２００を示す。ワイヤレスマルチセル通信システム２００はＷＴＲＵ２０５、複数のノードＢ２１０（つまり２１０Ａ、２１０Ｂ）、ＲＮＣ２１５、および複数のセル２６０（つまり２６０Ａ、２６０Ｂ、２６０Ｃ）を含む。セル２６０Ａおよび２６０ＣはノードＢ２１０Ａによってサービスを提供される。セル２６０ＢはノードＢ２１０Ｂによってサービスを提供される。全てのノードＢ２１０はＲＮＣ２１５によって制御される。
【００２１】
ソフトハンドオーバ中に、ＷＴＲＵ２０５は、アクティブセットに含まれるノードＢ２１０との多数の接続を確立する。ＷＴＲＵ２０５からの各送信は、各々のノードＢ２１０で独立して処理される。アクティブセット内のノードＢ２１０の１つは主ノードＢ２１０Ａと指定され、他のノードＢは非主ノードＢ２１０Ｂと指定される。
【００２２】
図２に示すように、主ノードＢ２１０Ａは、ＵＬスケジューラ２５５を含むＭＡＣエンティティ２５０Ａを含む。非主ノードＢ２１０Ｂの各々も、ＭＡＣエンティティ２５０Ｂをも含む。ＭＡＣエンティティ２５０Ａ、２５０Ｂの各々は、ＥＵ送信を処理する。ＭＡＣエンティティ２５０Ａ内のＵＬスケジューラ２５５は、ＥＵ送信のスケジューリングを担当する。
【００２３】
本発明の一実施形態に従って、ＵＬスケジューラ２５５は、ソフトハンドオーバ中に主ノードＢ２１０Ａでだけ実施される。ＷＴＲＵ２０５は、主セル２６０Ａ内の主ノードＢ２１０ＡからだけＵＬ送信スケジュールを受信する。しかし、主ノードＢ２１０Ａは、各送信時間間隔（ＴＴＩ）にスケジューリング情報を非主ノードＢ２１０Ｂに送信することはできない。非主ノードＢ２１０Ｂによって制御されるセル内でＷＴＲＵ２０５が送信を行うための資源を主ノードＢ２１０Ａが割り当てることを可能にするために、非主ノードＢ２１０Ｂによって制御される複数のセル２６０Ｂ内で主ノードＢ２５０Ａによってスケジューリングされるこれらの資源は、非主ノードＢ２１０Ｂによって割り当てることができない。したがって、アクティブなＥＵサブセット内の全てのセルで共用される一部の物理資源は、これらの資源が主ノードＢ２１０Ａのみによって使用することができるように、ソフトハンドオーバ中に特定のノードＢによってＷＴＲＵ２０５のために割り当てられ予約されなければならない。
【００２４】
主ノードＢ２１０Ａに配置されるＵＬスケジューラ２５５は、ＥＵアクティブサブセット内のいずれかのセル２６０Ａ、２６０Ｂ、２６０ＣでＥＵ送信によって引き起こされる干渉レベルが予め定められた最大許容干渉レベルより低くなるように考慮する。したがって、主ノードＢ２５０Ａは、干渉レベルが他のセル２６０Ｂ、２６０Ｃでも最大許容干渉レベル内となるように、ＷＴＲＵ２０５の送信電力レベルを制限する。これを達成するために、ＲＮＣ２１５は、非主ノードＢ２１０Ｂによって制御されるセル２６０Ｂの送信電力レベルおよび干渉レベルのような必要な情報を主ノードＢ２１０Ａに中継する必要があり、次いで主ノード２１０Ａは該情報をＵＬ送信のスケジューリングに使用する。
【００２５】
ＥＵスケジューリング情報は、主ノードＢ２１０Ａのみによって主セル２６０Ａを介してＷＴＲＵ２０５に送信される。ソフトハンドオーバ中に、ＷＴＲＵ２０５は主セル２６０ＡのみでＥＵスケジューリング情報を受信するが、ＥＵスケジューリング情報は他の全てのセル２６０Ｂ、２６０Ｃで有効である。
【００２６】
一実施形態では、主ノードＢ２５０ＡはＲＮＣ２１５またはＷＴＲＵ２０５のいずれかによって選択される。ＲＮＣ２１５は、予め定められた時間窓中に正確に受信されたデータブロックの最高百分率を持つノードＢを主ノードＢとして選択することができる。
【００２７】
別の実施形態では、ＲＮＣ２１５は、予め定められた期間にわたってビット誤り率（ＢＥＲ）またはフレーム誤り率（ＦＥＲ）または類似物のような統計を各ノードＢに対して生成する。次いで、ＲＮＣ２１５は最良の性能を有するノードＢを主ノードＢ２１０Ａに選択する。ＲＮＣ２１５は次いで、それぞれ無線資源コントロール（ＲＲＣ）およびＩｕｂシグナリングを介してＷＴＲＵ２０５および他の全てのノードＢに、主ノードＢ２１０Ａについて通知する。
【００２８】
別の実施形態では、ＷＴＲＵ１０２は、最良のダウンリンクパイロット電力（つまり最良のダウンリンク経路損失または最高符号電力）を有するノードＢ２１０を、主ノードＢ２１０Ａとして選択することができる。ＷＴＲＵ２０５は、全てのノードＢ２１０から受信するパイロット信号の電力を測定し、最高パイロット電力を有するノードＢ２１０を主ノードＢ２１０Ａに選択する。ＷＴＲＵ２０５は次いで、高速物理層シグナリングを介して他の全てのノードＢに主ノードＢ２１０Ａについて通知する。
【００２９】
ＷＴＲＵ２０５は、全てのセル２６０のダウンリンクパイロット電力をＲＮＣ２１５に報告することができる。ＲＮＣ２１５は次いで、アプリンクおよびダウンリンク複合品質に基づいて、１つのノードＢ２１０を主ノードＢ２１０ａに選択する。セル２６０のアップリンク品質は予め定義された時間窓中に正確に受信されたデータブロックの百分率（またはＢＥＲ、ＦＥＲ、もしくは類似物）に基づき、セル２６０のダウンリンク品質はＷＴＲＵが受信するダウンリンクパイロット電力に基づく。次いでＲＮＣ２１５は、それぞれＲＲＣおよびＩｕｂシグナリングを介してＷＴＲＵ２０５および全てのノードＢ２１０に、主ノードＢ２１０Ａについて通知する。
【００３０】
本発明は先行技術のシステムより有利である。本発明を使用して、ＷＴＲＵはソフトハンドオーバ中にノードＢからＥＵ送信の競合するスケジューリングを受信しない。加えて、ＥＵ送信は、非主ノードＢによって制御されるセルの干渉レベルおよび無線資源を考慮してスケジューリングされる。主ノードＢ２１０ＡからＷＴＲＵ２０５へのシグナリング遅延は、ＲＮＣ２１５からＷＴＲＵ２０５へのシグナリング遅延に比較してずっと低い。
【００３１】
別の実施形態では、図３は、図２に示したシステム２００と同様のワイヤレスマルチセル通信システム３００を示す。図３に示すように、主ノードＢ２１０Ａは、ＡＣＫ／ＮＡＣＫ発生器３０５を含むＭＡＣエンティティ２５０Ａを含む。主ノードＢ２１０ＡだけがＡＣＫ／ＮＡＣＫ発生器３０５を有する。主ノードＢ２１０Ａは増分冗長性を備えたＨ−ＡＲＱを実行するか、あるいは増分冗長性を実現することなくＡＲＱだけを実行することができる。
【００３２】
依然として図３を参照して、主ノードＢ２１０Ａは、主セル２６０Ａを介してＷＴＲＵ２０５から少なくとも１つのデータパケットを受信し、データパケットに誤り検査を実行する。巡回冗長検査（ＣＲＣ）のような任意の誤り検査方法を利用することができる。主ノードＢ２１０ＡがＣＲＣに合格するなど、正確にデータパケットを復号すると、主ノードＢ２１０ＡはＡＣＫをＷＴＲＵ２０５に送信し、正確に複合されたデータパケットをＲＮＣ２１５にも送信する。主ノードＢ２１０Ａがデータパケットを正確に復号することに失敗すると、主ノードＢ２１０ＡはＮＡＣＫをＷＴＲＵ２０５に送信する。
【００３３】
非主ノードＢ２１０Ｂもまたデータパケットに誤り検査を実行する。しかし、非主ノードＢ２１０ＢはＡＣＫまたはＮＡＣＫをＷＴＲＵ２０５に送信しない。代わりに、非主ノードＢは正常に復号されたデータパケットをＲＮＣ２１５に送信する。ソフトハンドオーバ中は、主ノードＢ２１０ＡだけがＨ−ＡＲＱ（またはＡＲＱ）、ＡＣＫ、およびＮＡＣＫを生成し、再送を制御する。
【００３４】
非主ノードＢ２１０Ｂによって受信されたＭＡＣ層ＷＴＲＵアイデンティティは、ユニバーサル地上無線アクセスネットワーク（ＵＴＲＡＮ）で正常に受信された送信を経路指定するために使用することができる。非主ノードＢ２１０Ｂには、どのＷＴＲＵがＥＵ送信のために主ノードＢ２１０Ａによってスケジューリングされたか分からないので、非主ノードＢ２１０Ｂは、ＷＴＲＵ  ＩＤの帯域内ＭＡＣ層シグナリングに頼って、正確に受信された送信を正確なＲＮＣ無線リンクに経路指定する。たとえ主ノードＢ２１０ＡにはどのＷＴＲＵがスケジューリングされているか分からなくても、同じ方法は主ノードＢ２１０Ａによっても実施することができる。
【００３５】
好ましくは、主ノードＢ２１０Ａはソフト結合を使用して送信を処理することができる一方、非主ノードＢ２１０Ｂはソフト結合無しに各送信を処理することができる。主ノードＢがＮＡＣＫをＷＴＲＵ２０５に送信すると、ＮＡＣＫされたデータパケットは主ノードＢ２１０Ａのバッファに格納され、ＮＡＣＫされたデータパケットは再送されたデータパケットと結合される。対照的に、非主ノードＢ２１０ＢはＮＡＣＫされたデータパケットを格納しない。これはノードＢ２１０間のソフトバッファの破損の問題、および多数の独立したＡＣＫおよび／またはＮＡＣＫの複雑さを解消する。
【００３６】
増分結合プロセスが実施されるときに、ソフトバッファ破損を防止する措置を講じる必要がある。ＷＴＲＵ２０５がもはや特定のＷＴＲＵのＨ−ＡＲＱプロセスのためのデータを再送しておらず、代わりに新しいデータを送信していることを、ノードＢ２１０が検知することを可能にするために、シーケンス情報または新データ標識が必要である。ノードＢ２１０は新しい送信が開始されたことを知る他の方法を持たないので、これは特に必要である。代替的に、非主ノードＢ２１０Ｂは、増分結合プロセスを使用することなく、ＡＲＱを単純に実行することができる。これはソフトバッファ破損の問題を解消する。
【００３７】
非主ノードＢ２１０Ｂが増分結合無しに単純ＡＲＱを実行する場合、ＷＴＲＵ２０５は、以前の送信の結果に関係なく全てのノードＢ２１０が送信を復号できることを確実にするために、自己復号可能なデータパケットを送信しなければならない。Ｈ−ＡＲＱ機能性はノードＢ２１０で終了することが好ましい。各々のノードＢ２１０は、正常に復号されたデータパケットを送信シーケンス番号（ＴＳＮ）のような明示的な送信の識別付きで、ＲＮＣ２１５に送信する。ＲＮＣ２１５は、非主ノードＢ２１０Ｂから送達されたデータパケットを任意選択的に使用することができる。ＲＮＣ２１５に配置されたＭＡＣエンティティ３１０は、インシーケンス送達（ｉｎ−ｓｅｑｕｅｎｃｅ  ｄｅｌｉｖｅｒｙ）プロセスを実施して、ノードＢ２１０から受信した全てのパケットより高い層にデータを送達するために使用される。ＲＮＣのＭＡＣエンティティ３１０がその再順序付けプロセスを終了した後、それはデータを無線リンクコントロール（ＲＬＣ）（図示せず）に送信する。失われたパケットはＲＮＣ２１５で識別され、ＲＬＣメッセージングを介してＷＴＲＵ２０５に知らされる。
【００３８】
代替的に、ＥＵ送信は、非主ノードＢ２１０Ｂにおけるソフト結合が可能になるように、ＷＴＲＵのＩＤ、Ｈ−ＡＲＱプロセス、送信シーケンス、および／または新データ標識（ＮＤＩ）を識別することができる。この方法を使用して非主ノードＢ２１０Ｂにおけるソフト結合を可能にした場合、主ノードＢ２１０Ａは、結合をいつ実行すべきかを決定するのに、スケジューリングおよびＨ−ＡＲＱ  ＡＣＫ／ＮＡＣＫの決定に頼る必要がなくなる。
【００３９】
ＡＣＫ／ＮＡＣＫメッセージの送信には２つの選択肢がある。第一の選択肢は同期送信である。ＡＣＫ／ＮＡＣＫメッセージは、対応するアップリンク送信またはＥＵチャネル割当てメッセージに関連する独自の時間遅延後に送信される。第二の選択肢は非同期送信である。ＡＣＫ／ＮＡＣＫメッセージの送信と対応するアップリンク送信またはＥＵチャネル割当てメッセージ間に独自の遅延はない。ＡＣＫ／ＮＡＣＫメッセージ内の明示的情報は対応するアップリンク送信を識別して、ＷＴＲＵ２０５がＡＣＫ／ＮＡＣＫメッセージと送信との間の正しい関連付けができるようにする。この関連付けは、ＷＴＲＵ２０５への各ＡＣＫ／ＮＡＣＫフィードバックメッセージで、Ｈ−ＡＲＱプロセス番号および／または一意のシーケンス番号、例えばＴＳＮの両方またはどちらかを識別することによって行われる。
【００４０】
非同期ＡＣＫ／ＮＡＣＫフィードバックの場合に実施することが好ましい別の実施形態では、主ノードＢ２１０Ａによって正確に受信されなかった送信ではなく、非主ノードＢ２１０Ｂによって正確に受信された送信の不必要な再送を回避するために、非主ノードＢ２１０ＢがＨ−ＡＲＱのＡＣＫ／ＮＡＣＫ結果を主ノードＢ２１０Ａに提供することができる。非主ノードＢ２１０ＢはＡＣＫまたはＮＡＣＫメッセージをＷＴＲＵ２０５に直接は送信しない。非主ノードＢ２１０ＢはＡＣＫ／ＮＡＣＫまたはＣＲＣ結果をＲＮＣ２１５に送信する。次いでＲＮＣ２１５はＡＣＫまたはＣＲＣ結果を主ノードＢ２１０Ａに送信する。
【００４１】
Ｈ−ＡＲＱ処理を高速化するために、ＲＮＣによって受信されたいずれかの非主ノードＢ２１０Ｂからの最初のＡＣＫメッセージは、即座に主ノードＢ２１０Ａに転送されることが好ましい。主ノードＢ２１０Ａはまた、送信が主ノードＢ２１０Ａで正確に受信された場合、非主ノードＢ２１０Ｂからのフィードバックを待つことなく、即座にＡＣＫメッセージを生成する。主ノードＢ２１０Ａはまた、たとえ他のＡＣＫメッセージが転送されることがある場合でも、ＲＮＣからの転送ＡＣＫメッセージを受信次第、即座にＡＣＫメッセージを生成する。いずれかの経路が正常であれば、ＡＣＫは生成されるので、ＡＣＫは最初の正常な送信が見つかるやいなや、すぐに生成することができる。
【００４２】
代替的に、ＡＣＫ／ＮＡＣＫ発生器２０５の設計を簡素化するために、生成ノードのサブセットのみを使用することができる。例えば、ＡＣＫはＲＮＣのみで、あるいはＲＮＣおよび主ノードＢ２１０Ａで生成することができる。
【００４３】
ＷＴＲＵ２０５が各Ｈ−ＡＲＱプロセスにアップリンク送信を送出するときに、ＷＴＲＵ２０５は、少なくとも主ノードＢ２１０ＡがＡＣＫ／ＮＡＣＫフィードバックを送出するのに必要な時間だけ待つ。各Ｈ−ＡＲＱプロセスに対し、ＡＣＫがＷＴＲＵ２０５によって受信されると、ＷＴＲＵ２０５は次に利用可能または割り当てられた機会に新しいデータを送信することができる。
【００４４】
ＲＮＣ２１５は、ソフトハンドオーバ中にいずれかのノードＢ２１０に正常な受信がなかったことを決定するために必要な全ての情報を持つ唯一のノードであるので、ＮＡＣＫメッセージはＲＮＣ２１５からしか発信することができない。ＲＮＣ２１５が予め定められた時間間隔内にノードＢ２１０からＡＣＫを受信しなければ、ＲＮＣ２１５はＮＡＣＫコマンドを生成する。ＲＮＣ２１５は、主ノードＢ２１０Ａを介して、ＮＡＣＫメッセージをＷＴＲＵ２０５に転送する。
【００４５】
この手順を明示的なＮＡＣＫコマンド無しに実施できるようにすることも可能である。この場合、特定の時間内にＡＣＫを受信しないことは、主ノードＢ２１０Ａおよび／またはＷＴＲＵ２０５のいずれかにおける明示的なＮＡＣＫコマンドと同じとみなされる。
【００４６】
図４は、本発明の一実施形態に従ってソフトハンドオーバ中にノードＢを調整するための方法ステップを含むプロセス４００のフローチャートである。ステップ４０５で、ＲＮＣ２１５はノードＢ間ソフトハンドオーバを始動する決定を行う。ステップ４１０で、ＷＴＲＵ２０５はアクティブセット内の少なくとも２つのノードＢ２１０との接続を確立する。ステップ４１５で、アクティブセット内のノードＢ２１０の１つが主ノードＢ２１０Ａと指定され、アクティブセット内の残りの１つまたは複数のノードＢ２１０は非主ノードＢ２１０Ｂと指定される。ステップ４２０で、主ノードＢ２１０Ａは、ＥＵスケジューリングおよびＨ−ＡＲＱ動作を実行することにより、ソフトハンドオーバ中にＵＬ送信を制御する。
【００４７】
図５は、本発明の別の実施形態に従って、ハードハンドオーバが終了する前にソースノードＢでＮＡＣＫされたデータの送信の優先順位を決定するための方法ステップを含むプロセス５００のフローチャートである。ステップ５０５で、ＲＮＣ２１５は、ソースノードＢ２１０に接続されたＷＴＲＵ２０５のハードハンドオーバを始動することを決定する。ステップ５１０で、ＲＮＣ２１５は、ＷＴＲＵ２０５がソースセル２６０の送受信をいつ停止するかをソースノードＢ２１０に知らせる。ステップ５１５で、ＲＮＣ２１５は、ハンドオーバの時間を設定するために、起動タイマをソースノードＢ２１０に送信する。
【００４８】
依然として図５を参照して、以前にＮＡＣＫされたデータパケットがあるとソースノードＢ２１０が決定した場合、できるだけ多数の以前にＮＡＣＫされたデータパケットを、ハンドオーバ起動タイマがタイムアウトする前に再送しなければならない。さもなければ、システムは、以前の送信を再送と増分的に結合する利点を失うことがある。したがって、ソースノードＢスケジューラ２５５は、ＮＡＣＫされたデータパケットをスケジューリングするときに、ハンドオーバ起動時間を考慮に入れる。ソースノードＢ２１０がＮＡＣＫされた全てのデータパケットの送信を時間内にスケジュールするための充分な無線資源がない場合、ソースノードＢ２１０は何とかして、できるだけ多数のＮＡＣＫされたデータパケットの送信をスケジューリングしなければならない。
【００４９】
依然として図５を参照して、起動タイマがタイムアウトする前に、できるだけ多数のＮＡＣＫされたデータパケットを送信するために、ソースノードＢ２１０は送信の優先順位を調整し（ステップ５２５）、かつステップ５３０で、ソースノードＢ２１０は送信のＭＣＳを調整する（ステップ５３０）。ＮＡＣＫされたデータパケットに、スケジューリングのより高い優先順位が与えられる。無線資源が充分である場合、より頑健なＭＣＳを使用して、ＷＴＲＵ２０５からソースノードＢ２１０への正常な送信の確立を高めることができる。ステップ５３５で、起動タイマのタイムアウトでハンドオーバは終了する。
【００５０】
スケジューリングされたアップリンク送信が、以前に送信を失敗したデータブロック用に意図されていることを、ＷＴＲＵ２０５が理解するために、ソースノードＢ２１０アップリンクスケジューラ２５５は、スケジューリングされたＵＬ送信が、以前にＮＡＣＫされたデータブロック用に意図されていることを指摘することができる。これは、ソースノードＢ２１０からＷＴＲＵ２０５へ送信されるＵＬスケジューリング情報にＨ−ＡＲＱプロセス識別を含めることによって、実施することができる。ソースノードＢ２１０からスケジューリング情報を受信することにより、ＷＴＲＵ２０５は、スケジューリングされた送信が、スケジューリング情報と共に送信されるＨＡＲＱプロセス識別に関連付けられる特定のデータ用であることを知る。
【００５１】
本発明を特に好適な実施形態に関連して図示しかつ説明したが、上述した本発明の範囲から逸脱することなく、それらに形態および詳細の様々な変化を施すことができることを、当業者は理解されるであろう。
【図１】
2014212539.tif 000003
【図２】
2014212539.tif 000004
【図３】
2014212539.tif 000005
【図４】
2014212539.tif 000006
【図５】
2014212539.tif 000007